(57)【特許請求の範囲】
【請求項１】
前面に開口し内部に貯蔵室が形成された冷蔵庫本体と、前記冷蔵庫本体の前面開口部を閉塞する扉とを備えた冷蔵庫において、
前記扉は、庫外側に配された扉面材と、庫内側に配された扉内板と、前記扉面材と前記扉内板との間に挟まれた断熱部と、前記断熱部に配設された真空断熱パネルと、前記断熱部に発泡充填された発泡断熱材とを備え、前記扉面材と前記真空断熱パネルとの間に前記扉面材に接する補強板が配設され、
前記扉面材は、前記扉内板に向けて突出する凸部を備え、
前記補強板は、前記凸部を挟んで両側に配置され前記凸部を避けて前記扉面材に付着され、前記補強板の厚さが、前記凸部の突出量以上に設けられ、
前記真空断熱パネルは、前記凸部を挟んで両側に配置された前記補強板に跨って付着されていることを特徴とする冷蔵庫。
【請求項２】
前記補強板は断熱材からなることを特徴とする請求項１に記載の冷蔵庫。
【発明の詳細な説明】
【技術分野】
【０００１】
本発明は、扉の断熱材として真空断熱パネルを用いた冷蔵庫に関する。
【背景技術】
【０００２】
冷蔵庫は、外箱と内箱との間に発泡断熱材を設けた冷蔵庫本体により構成され、その冷蔵庫本体の内部に貯蔵室を形成しているが、断熱性能を向上させて消費電力量を低減させたり、あるいは、断熱箱体の壁厚を薄くして庫内容積効率を向上させるため、外箱と内箱との間に充填する発泡断熱材の一部に換えて真空断熱パネルが設けられている。
【０００３】
また、冷蔵庫本体の前面開口部を閉塞する扉についても、扉の外側に配される扉面材と、扉の内側に配される扉内板との間に発泡断熱材を配設した断熱部を設けているが、冷蔵庫本体と同様、断熱性能を向上させるため、断熱部に配設される発泡断熱材の一部に換えて真空断熱パネルが配設されているものが提案されている（例えば、下記特許文献１参照）。
【０００４】
下記引用文献１に記載された冷蔵庫は、図９に示すように、扉１２７の扉内板１４２に庫内側に成形された突起部１４３と奥行き方向の段違い面とを形成し、段違い面の最前面部１４４に突起部１４３を覆うように真空断熱パネル１３８を貼付けて硬質ウレタンフォーム１１３を注入発泡し、扉１２７の扉内板１４２と真空断熱パネル１３８とで挟まれた空間部１４６から突起部１４３に硬質ウレタンフォーム１１３が充填されている。
【先行技術文献】
【特許文献】
【０００５】
【特許文献１】特開２００４−１２５３９４号公報
【発明の概要】
【発明が解決しようとする課題】
【０００６】
上記のような冷蔵庫では、真空断熱パネル１３８が扉１２７の外側に配された扉面材１５０に直接接しないので、真空断熱パネル１３８と硬質ウレタンフォーム１１３との熱収縮率の違いに起因して生じる外観の変形を抑えることができる。
【０００７】
しかしながら、真空断熱パネル１３８が、奥行き方向の段違い面に貼付され片持ち状態で扉内板１４２に固定されているため、製造時に真空断熱パネル１３８が扉内板１４２から剥がれ落ち製造不良が起こりやすいという問題がある。
【０００８】
特に、扉内板１４２と真空断熱パネル１３８とで挟まれた空間部１４６から硬質ウレタンフォーム１１３が充填されるため、硬質ウレタンフォーム１１３の発泡圧力が扉内板１４２から真空断熱パネル１３８を剥がす方向へ作用し、硬質ウレタンフォーム１１３の発泡充填時に真空断熱パネル１３８が扉内板１４２から剥がれ落ちやすく、製造不良が起こりやすいという問題がある。
【０００９】
本発明は、上記問題を考慮してなされたものであり、扉面材と扉内板との間に形成された断熱部に真空断熱パネルを配設した扉を備えた冷蔵庫において、扉の製造時に真空断熱パネルが剥がれ落ちたりすることなく製造不良が発生しにくい冷蔵庫を提供することを目的とする。
【課題を解決するための手段】
【００１０】
本発明に係る冷蔵庫は、前面に開口し内部に貯蔵室が形成された冷蔵庫本体と、前記冷蔵庫本体の前面開口部を閉塞する扉とを備えた冷蔵庫において、前記扉は、庫外側に配された扉面材と、庫内側に配された扉内板と、前記扉面材と前記扉内板との間に挟まれた断熱部と、前記断熱部に配設された真空断熱パネルと、前記断熱部に発泡充填された発泡断熱材とを備え、前記扉面材と前記真空断熱パネルとの間に前記扉面材に接する補強板が配設され、前記扉面材は、前記扉内板に向けて突出する凸部を備え、前記補強板は、前記凸部を挟んで両側に配置され前記凸部を避けて前記扉面材に付着され、前記補強板の厚さが、前記凸部の突出量以上に設けられ、前記真空断熱パネルは、前記凸部を挟んで両側に配置された前記補強板に跨って付着されていることを特徴とする。
【発明の効果】
【００１１】
本発明の冷蔵庫では、上記構成により、扉の製造時に真空断熱パネルが剥がれ落ちたりすることなく製造不良を抑えることができる。
【図面の簡単な説明】
【００１２】
【図１】本発明の第１実施形態に係る冷蔵庫の断面図である。
【図２】本発明の第１実施形態に係る冷蔵庫の正面図である。
【図３】図１の要部拡大図である。
【図４】図３のＡ−Ａ断面図である。
【図５】図４の要部拡大断面図である。
【図６】本発明の第１の変更例を示す冷凍室扉の要部拡大断面図である。
【図７】本発明の第２の変更例を示す冷凍室扉の要部拡大断面図である。
【図８】本発明の第３の変更例を示す冷凍室扉の断面図である。
【図９】従来例を示す冷凍室扉の断面図である。
【発明を実施するための形態】
【００１３】
以下、本発明の一実施形態について、図面を参照して説明する。
【００１４】
本実施形態の冷蔵庫１０は、図１に示すように、鋼板からなる外箱１２と貯蔵空間を形成する内箱１３との間に断熱空間を設けて冷蔵庫１０の外郭をなす冷蔵庫本体１１を構成している。
【００１５】
外箱１２の庫内側には、真空断熱パネル１６が貼り付けられており、外箱１２と内箱１３との間隙にポリウレタンフォームからなる発泡断熱材１７の原液を注入し発泡充填することで、外箱１２の庫内側に真空断熱パネル１６が配設された状態で、外箱１２及び内箱１３が一体化されている。
【００１６】
内箱１３の内部に形成された貯蔵空間は、断熱仕切壁１５によって上方の冷蔵空間と下方の冷凍空間とに区画されている。
【００１７】
冷蔵空間は、さらに仕切壁２１によって上下に区画され、上部空間に複数段の載置棚を設けた冷蔵室２２が設けられ、下部空間に引き出し式の収納容器２５ａを配置する野菜室２４が設けられている。
【００１８】
野菜室２４の下方に配置された冷凍空間には、自動製氷機を備えた製氷室３２と小型冷凍室３４を左右に併設しており、その下方には冷凍室３６が設けられている。
【００１９】
図２に示すように、冷蔵室２２の前面開口部は、冷蔵庫本体１１の左右両側に設けられたヒンジ２３ａ，２３ａにより回動自在に枢支された左右一対の冷蔵室扉２３，２３により閉塞されている。野菜室２４、製氷室３２、小型冷凍室３４及び冷凍室３６の前面開口部は、引き出し式扉２５，３３，３５，３７により閉塞されている。各引き出し式扉２５，３３，３５，３７の裏面側に固着した左右一対の支持枠に収納容器２５ａ，３３ａ，３７ａが保持されており、開扉動作とともに庫外に引き出されるように構成されている。
【００２０】
そして、前記冷蔵空間および冷凍空間のそれぞれの背面部には、冷蔵用冷却器４１および冷凍用冷却器４２と、各冷却器４１，４２に対応するファン４３，４４がそれぞれ配設されている。冷蔵用冷却器４１及び冷凍用冷却器４２は、冷蔵庫本体１１の下部に設けた圧縮機４５の吐出側からの冷媒が、不図示の冷凍サイクルにより交互に導入されることで冷却される。冷蔵用冷却器４１及び冷凍用冷却器４２により生成された冷気は、ファン４３，４４によりダクトを介してそれぞれの貯蔵室内に導入され、各貯蔵室を所定の温度に冷却する。
【００２１】
上記構成の冷蔵庫１０において、冷凍室３６の扉３７は、図３〜図５に示すように、庫外側に配された扉面材５２と、庫内側に配された扉内板５４と、扉面材５２及び扉内板５４の上下端部を連結する上下キャップ５６，５８と、扉面材５２と扉内板５４との間に挟まれた断熱部６０とを備える。
【００２２】
詳細には、図４に示すように、扉面材５２は、両側縁を冷凍室側にコ字状に折り曲げて側壁５３が形成された鋼板からなり、コ字状に折り返された側壁５３の先端部５３ａにおいて扉内板５４が固定されている。また、扉面材５２は、幅方向中央部に冷凍室扉３７の厚みが薄くなるように扉内板５４に向けて突出する凸部５５が設けられている。この凸部５５は、冷蔵庫１０の上下方向に沿って設けられている（図２参照）。
【００２３】
扉内板５４は、合成樹脂材を板状に形成してなり、冷凍室扉３７と冷凍室３６内部との隙間をシールするガスケット（不図示）を保持するためのガスケット保持部５４ａが周縁部に形成されている。扉内板５４の両側縁は、上記のように扉面材５２の側壁先端部５３ａに固定され、これにより、扉面材５２と扉内板５４との間には、上下に開口した断熱部６０が形成される。
【００２４】
上キャップ５６は、合成樹脂からなり、断熱部６０の上面開口を閉塞して冷凍室扉３７の上面を構成する。下キャップ５８は、合成樹脂からなり、断熱部６０の下面開口を閉塞して冷凍室扉３７の下面を構成する。
【００２５】
断熱部６０は、扉面材５２、扉内板５４、及び上下キャップ５６，５８によって閉塞された空間であり、その内部に補強板６２と真空断熱パネル６４や発泡断熱材６６などの断熱材とが配設される。
【００２６】
補強板６２は、発泡スチロールなどの板状の断熱材であって、扉面材５２に設けられた凸部５５を避けるように凸部５５を挟んで両側に配置され、扉面材５２の断熱部６０側に付着されている。
【００２７】
補強板６２の厚さＴは、図５に示すように、凸部５５の突出量Ｌ以上に設定されており、補強板６２が扉面材５２に付着された状態で、補強板６２における扉内板５４との対向面６２ａより奥まった位置に、あるいは、該対向面６２ａと同一平面内に、凸部５５の頂部５５ａが位置する。
【００２８】
真空断熱パネル６４は、例えば、アルミニウム箔と合成樹脂のラミネートフィルムを製袋した厚みが７０〜１２０μｍ程度のガスバリア容器に、綿状のガラス繊維（グラスウール）からなるコア材を収納し、ガスバリア容器の内部を０．０３〜３０Ｐａ程度に真空排気した状態で封止して形成された板状の部材であり、凸部５５を挟んで両側に配置された一対の補強板６２の対向面６２ａに跨って付着されている。
【００２９】
発泡断熱材６６は、ポリウレタンフォーム原液を断熱部６０に発泡充填することで形成され、扉面材５２と真空断熱パネル６４とで補強板６２を挟んだ状態で、扉面材５２、扉内板５４、及び上下キャップ５６，５８を一体化する。これにより、冷凍室３６の前面開口部を断熱して閉塞する断熱扉が形成される。
【００３０】
以上のように、本実施形態の冷蔵庫１０では、真空断熱パネル６４と扉面材５２との間に補強板６２が介在され、真空断熱パネル６４が扉面材５２に直接接することがないため、真空断熱パネル６４と発泡断熱材６６との熱収縮率の違いに起因して生じる外観の変形を抑えることができると共に、扉面材５２に補強板６２が直接付着されされていることから扉面材５２の剛性を高めることができ、より一層、冷凍室扉３７の外観が変形しにくい。
【００３１】
しかも、真空断熱パネル６４が補強板６２を介在させて扉面材５２に付着されており、真空断熱パネル６４と扉内板５４との間にポリウレタンフォーム原液を発泡充填する空間が形成されている。そのため、ポリウレタンフォームの発泡圧力が真空断熱パネル６４を補強板６２に押さえ付ける方向へ作用することから、真空断熱パネル６４の位置ずれに起因した製造不良が起こりにくい。
【００３２】
また、本実施形態において、補強板６２は、発泡スチロールなどの断熱材から構成されており、真空断熱パネル６４のアルミニウム箔を含んだガスバリア容器と鋼板製の扉面材５２との間に断熱材を介在させることができるため、庫外の熱がガスバリア容器を伝って庫内へ漏洩するのを遮断することができる。
【００３３】
また、本実施形態の冷蔵庫１０では、補強板６２が凸部５５の左右に配置され凸部５５を避けるように配置されているため、補強板６２に凹凸形状を設ける必要が無く、製造が容易となる。しかも、補強板６２の厚さＴを、扉面材５２の凸部５５の突出量Ｌ以上に設定することで、真空断熱パネル６４が補強板６２と必ず面接触するため、凸部５５が当接することによる真空断熱パネル６４の損傷を防止することができる。
【００３４】
なお、本実施形態では、補強板６２を扉面材５２に設けられた凸部５５を避けるように配設したが、例えば、図６に示すように補強板６２に扉面材５２の凸部５５が嵌り込む凹部６２ｃを形成し、凸部５５を含んで補強板６２を扉面材５２に付着するように構成してもよい。
【００３５】
また、上記した本実施形態では、扉内板５４に向けて突出する凸部５５が扉面材５２に形成されている場合について説明したが、例えば、図７に示すように冷凍室扉３７の厚さ方向に陥没及び突出する凹部５７及び凸部５５が扉面材５２に形成されている場合や、図８に示すように冷凍室扉３７の幅方向中央部を上下方向にわたって冷凍室扉３７の厚さが厚くなるように、扉面材５２が庫外側に窪んだ湾曲形状をなしている場合などであれば、補強板６２における扉面材５２との対向面６２ｂの形状を扉面材５２の形状に応じた形状に設け、補強板６２における真空断熱パネル６４との対向面６２ａを平面に設けてもよい。
【００３６】
すなわち、図７の場合であれば、補強板６２に設けた凸部６２ｄ及び凹部６２ｃを扉面材５２の凹部５７及び凸部５５に嵌め入れて補強板６２を扉面材５２に付着させ、補強板６２における真空断熱パネル６４との対向面６２ａを平面に設けてもよく、また、図８の場合であれば、補強板６２における扉面材５２との対向面６２ｂを扉面材５２の湾曲形状に応じた庫外側に突出する湾曲形状に設け、補強板６２における真空断熱パネル６４との対向面６２ａを平面に設けてもよい。
【００３７】
また、本実施形態では、冷凍室扉３７において扉面材５２と真空断熱パネル６４との間に補強板６２を配設する場合について説明したが、本発明はこれに限定されず、冷蔵室扉２３や野菜室扉２５や製氷室扉３３や小型冷凍室扉３５においても、各扉の庫外側に配された扉面材と庫内側に配された扉内板との間に、真空断熱パネルを設け、扉面材と真空断熱パネルとの間に扉面材に接する補強板を配設しても良い。
【符号の説明】
【００３８】
１０…冷蔵庫              １１…冷蔵庫本体        ２２…冷蔵室
２３…冷蔵室扉            ２４…野菜室            ２５…野菜室扉
２５ａ…収納容器          ３２…製氷室            ３３…製氷室扉
３４…小型冷凍室          ３５…小型冷凍室扉      ３６…冷凍室
３７…冷凍室扉            ５２…扉面材            ５３…側壁
５３ａ…側壁先端部        ５３ａ…先端部          ５４…扉内板
５４ａ…ガスケット保持部  ５５…凸部              ５６…上キャップ
５７…凹部                ５８…下キャップ        ６０…断熱部
６２…補強板              ６４…真空断熱パネル    ６６…発泡断熱材
【図１】
0005513855.tif 000002
【図２】
0005513855.tif 000003
【図３】
0005513855.tif 000004
【図４】
0005513855.tif 000005
【図５】
0005513855.tif 000006
【図６】
0005513855.tif 000007
【図７】
0005513855.tif 000008
【図８】
0005513855.tif 000009
【図９】
0005513855.tif 000010